(57)【要約】      （修正有）【課題】大地震を想定した地震波の揺れの巨大エネルギーを柱に伝えない工法の提供。【解決手段】各柱１７の末端に取付けられた回転鋼球３が適宜の大きさの鋼板磨き円板４の中心に据えられて、大地震を想定した地震波の揺れの巨大エネルギーを柱１７に伝えず、磨かれた鋼板４の上を回転する鋼球３で逃がす。地震波を受けて鋼球３がころがって行っても即その時点で、柱１７の下端部と磨かれた鋼板４の周囲に設けたウルトラカーボンパイプ１０をワイヤー１２に繋がれた態様で最低四本のウルトラカーボンパイプの抵抗を受けさせて、鋼板４のエリヤ周囲に設けられた鋼球ストッパー壁５に当らないようにする。【選択図】図１
2008180059.tif 000002
【特許請求の範囲】
【請求項１】
柱下端に補強金属をネジで取付け、その金属は金属製鋼球取付治具繋ぎリングを取付けそのリングは、回転鋼球と一体となった取付治具リングと同径の物であり、その二つのリングはナット締付孔が開けられた二つのピッチを合せてボルトとナットで締付け固定し、柱と回転鋼球とを一体とする。その回転鋼球を、適宜な大きさの鋼板磨き円板の真ん中に設置し、地震波時に地震の巨大なエネルギーを逃がすフリーハウスエリヤ以上を喰い止めるために、その円板は平行度のある程度の精度を持たせた鋼球ストッパー壁を設け、そのストッパー壁に当らぬ計算からなる鋼球中心から放射状に適宜の長さの位置に、コンクリート土台造りの時にウルトラカーボンパイプの柱を埋めて立て、その柱の根元にパイプ保護強化ゴムを挿入させてコンクリートをそのまま乾して固定する。柱と鋼球を繋ぐ二つのリングをナットで締付けた後、そのリングの上端円周部にワイヤーを掛けるフックをパイプの柱の数ほど取付けてあったそのフックと、埋めたパイプの上端入口からあらかじめパイプ割れ防止栓を挿入し接着剤で固定したその栓に当る箇所にあらかじめパイプの外径からネジ穴が開られていて、その穴からフック取付治具を取付ける。その二つのフックでワイヤーとスペーサーを用いて放射状にジャックルで引っ張り合い、どの方向の地震にも対応させる。また柱の上端の梁にウルトラカーボンパイプがしっくり入る穴を開け、挿入した後そのパイプの下端入口からあらかじめパイプ割れ防止栓を挿入し、接着剤で固定しその栓には柱とパイプを固定するための、ネジ止めリング孔とが一体となって取付けられている。
【請求項２】
柱直結回転鋼球式フリーハウスエリヤ工法は、家屋の上部を出来る限りの軽量化を計ることを基本とし、全て平屋建てを目的とする。従って、瓦の代替をカーボン板とし棟の角材及び屋根の傾斜面に用いる垂木や壁面を支える長短の木の板の代替を、全てウルトラカーボンパイプを用いる。そのカーボンパイプの単品から、ウルトラカーボンパイプにする各使用ケ所と目的を計った工程で、特許願いの出願番号２００６−１８６０７０の使用目的による附加価値を付けるがそれは、緊密に整然と化学繊維の糸又はロープ及び天然繊維の糸又はロープを必要回数巻付ける工程で、金属及び石油系固形物質及び木や竹やゴム類や化学繊維の糸やロープ及び天然繊維の糸やロープからなるリング又はフックや輪の助長部を適宜の位置に必要数その巻き付けで封じ込め、巻付ける度に樹脂類を塗ってその使用引っ張り重量に十分耐え得るものとする。そのリング又はフック及び輪を用いて以上の使用目的のカーボン板の取付けに用いる。
【発明の詳細な説明】
【技術分野】
【０００１】  本発明は、大地震の巨大エネルギーを緩衝するためのコロの原理を用いた地上に限定的なフリーハウスエリヤを築く工法として成されたものである。
【背景技術】
【０００２】  従来に於ては、住宅における地震波緩衝工法は無かった。
【発明が解決しようとする課題】
【０００３】  この地震波緩衝工法は、私が提出した特許願いの出願番号２００６−１８６０７０（長物の強度及び反発力の増加加工技術）のウルトラカーボンパイプを用いる事が要点の、地震波によって縦に加わる総荷重は、高さに比例した高所部分は揺れに対しては遅れて荷重がかかる事で、柱と梁や柱と部屋の木枠との接合部分に狂いが生じたり壁にひびが入ったり、地震後地面に対して柱の直角度や柱に対する部屋の木枠の直角度を失ったり、瓦が剥れ落ちたりして使用不可の住宅になっていた。この工法は、平屋建て住宅を基本として、柱にかかる総荷重を大巾に軽減するために、全てカーボンからなる瓦の代替とする。棟の角材の代替もウルトラカーボンパイプを用いて、屋根の傾斜面を支える垂木も全てウルトラカーボンパイプを用いる。更に柱の長さは従来より長く取り、床裏を高く設けてその柱の端に補強金属を取付け、その補強金属には金属製鋼球取付治具繋ぎリングが取付けられている。そのリングは鋼球と一体となった取付治具リングと同径の物であり、その二つのリングには適宜の数のボルト差し入れ孔が開られていて、ナットで締め固定し柱は鋼球と一体となる。その鋼球は回転する機能を持たせ、適宜の大きさの円型からなる鋼板磨き板の中心位置に設置し、地震時鋼球は回転しても適宜の高さからなる鋼球ストッパー壁に当らない様な、強靱な反発力を持たせたウルトラカーボンパイプを作用させる。そのために、その鋼球取付治具に取付けたフックにワイヤーがかけられ、そのパイプにも取付けたフックと繋がれ強く締付けるためにジャックルを利用するがそうして放射状に鋼球を中心にして、引っ張り合う状態に置いて、いかなる方向の地震にも対応させる。大きな地震が来た後は、施工したメーカーが元設置した位置に鋼球を戻す作業が必要となる。鋼球と鋼板磨き板はグリスを塗って錆を防止すると同時に、ほこりから守るためにカバーが掛けられているがワイヤー通し孔がそのカバーに開られている。尚、ウルトラカーボンパイプの設置は、コンクリート土台造成時にパイプ保護強化ゴムを挿入してパイプの根元に持って行き、パイプをコンクリートに埋めてそのまま固める。
【課題を解決するための手段】
【０００４】  地震発生時に、鋼球磨き板の平行度をよく保ち得る構造を基礎に持たせ、家屋の総荷重（冷蔵庫や食器棚等その他全てを想定加算した）に対して、主も適宜の橈りを持たせるためのウルトラカーボンパイプの強靱さと反発力の必要の程度を知って、回転鋼球が地震波によって鋼球ストッパー壁に当らない様に計ること。
【発明の実施形態】
【０００５】（イ）住宅を建築するコンクリートの土台作りの段階で床裏を高く設けた設計図通りの、柱直下点から放射線上に適宜の長さの位置に図２の様な適宜の数の、パイプ保護強化ゴム▲１１▼を図示の如く挿入したウルトラカーボンパイプ▲１０▼をコンクリート投入中に垂直に立て、そのままンクリートに封じ込め固定する。そのパイプの上端入口から、図３の如くパイプ割れ防止栓を取付けると共に、ワイヤーを引っ張るためのフックを取付ける。
（ロ）床裏を高く設けるために柱を長く取った先端に、図１の如く柱端補強金属▲１▼を取付けその補強金属には、金属製鋼球取付治具繋ぎリング▲２▼が取付けられている。そのリングは、回転鋼球▲３▼と一体となった取付治具リングと同径の物であり、その二つのリングにはナット締付孔が適宜の数開けられてピッチを合せ、ボルトを入れてナットで締付け固定し柱▲１７▼と回転鋼球▲３▼と一体とする。その回転鋼球を中心にして、図２の様に放射状にフック▲６▼と▲９▼にワイヤー▲１２▼とスペーサー▲１８▼をかけジャックル▲７▼で張り切る。
（ハ）軽量化を計ったとしても尚その総重量は大きく、総荷重が地震波に遅れてかかることで梁と柱をきしませて動くのでその動きを止めるために、図１の梁穴▲１３▼にウルトラカーボンパイプ▲１４▼を挿し入れ、ネジ孔▲１６▼にネジ止め▲１９▼の如くねじ入れて地震波緩衝工法は完成する。
【発明の効果】
【０００６】（イ）棟や垂木その他補強材用箇所と屋根や壁や天上板その他をカーボン製の板又はウルトラカーボンパイプに代替するために、軽量化を達成して地震波にかかる下方荷重総重量に比例して地震波から来る家屋の基礎の狂いをゼロの理想を達成し、従来瓦を始め材木を多用するために、新築住宅価額は高価な物となり購入者の経済的負担は重くのしかかって来た。カーボンは地球にやさしく材料費は安く、低価額住宅という次世代の理想の住宅を全世界的に構築できる。カーボン板が割れる事が有ったとしても、全て規格化し早急に加工補修される体勢に持って行ける。
（ロ）ウルトラカーボンパイプという軽量かつ強靱な反発力の材質を発明出来たことで、巨大地震のエネルギーを緩衝できるコロの原理を用いた柱直結回転鋼球式フリーハウスエリヤ工法を導き出せたがこの工法によって、地震地帯に住む国民を被災民とせずに完全に家屋を保全させ、一生安住できる住宅を提供できる。またカーボンの屋根や壁のため外部からの延焼や内部火災に於ても延焼スピードが遅く、消火器や消防における消火も可能となる。
【図面の簡単な説明】
【図１】梁から床裏の、柱直結回転鋼球式フリーハウスエリヤ工法の全体構造を略図化したものである。  ▲１▼柱端補強金属  ▲２▼金属製鋼球取付治具繋ぎリング  ▲３▼回転鋼球  ▲４▼鋼板磨き板  ▲５▼鋼球ストッパー壁  ▲６▼フック  ▲７▼ジャックル  ▲８▼パイプ割れ防止栓  ▲９▼フック  ▲１０▼ウルトラカーボンパイプ  ▲１１▼パイプ保護強化ゴム  ▲１２▼ワイヤー  ▲１３▼梁  ▲１４▼ウルトラカーボンパイプ  ▲１５▼パイプ割れ防止栓  ▲１６▼ネジ孔  ▲１７▼柱  ▲１８▼スペーサー  ▲１９▼ネジ取付け  ▲２０▼穴挿入
【図２】本発明の、主体場所の放射状にウルトラカーボンパイプを使用した実施態様図である。  ▲７▼ジャックル  ▲９▼フック  ▲１０▼ウルトラカーボンパイプ  ▲１１▼パイプ保護強化ゴム  ▲１２▼ワイヤー
【図３】図２のウルトラカーボンパイプの実施態様の上端をカットした断面図である。
【図４】図１の柱上端に用いるウルトラカーボンパイプの下端をカットした断面図である。
【図１】
2008180059.tif 000003
【図２】
2008180059.tif 000004
【図３】
2008180059.tif 000005
【図４】
2008180059.tif 000006